(57)【特許請求の範囲】
【請求項１】
高温高圧の冷媒と熱交換させて給湯用水を沸き上げるヒートポンプユニット（１）と、
前記ヒートポンプユニット（１）によって加熱された給湯用水を貯える貯湯タンク（２）と、
前記ヒートポンプユニット（１）によって加熱された給湯用水が直接または前記貯湯タンク（２）内を介して出湯される給湯使用側端末と、
給湯用水の流れを制御する働きを有し、前記貯湯タンク（２）内または前記給湯使用側端末に連通するように設けられる機能部品（４、５、１３、１７、１９、２３、３５、４０、４１、４６、４９、５７）と、
前記給湯使用側端末である浴槽に湯張りされる給湯用水の流路（１８）を開閉する湯張り用開閉弁（４１）と、を備え、
前記機能部品（４、５、１３、１７、１９、２３、３５、４０、４１、４６、４９、５７）は、前記貯湯タンク（２）の上部表面よりも高い位置に配置され、さらに前記貯湯タンク（２）を平面視したとき、前記貯湯タンク（２）の外周縁上、または外周縁よりも内側に位置し、
前記機能部品には、前記湯張り用開閉弁（４１）に流入する逆流水を逃がすための逆流水開放弁（４６）が含まれることを特徴とするヒートポンプ式給湯装置。
【請求項２】
前記逆流水開放弁（４６）は、前記貯湯タンク（２）の天面よりも上に配置されている前記機能部品のなかで最も低い位置に配置されていることを特徴とする請求項１に記載のヒートポンプ式給湯装置。
【請求項３】
前記機能部品は、前記貯湯タンク（２）の頂部よりも上方に配置されていることを特徴とする請求項１または２に記載のヒートポンプ式給湯装置。
【請求項４】
前記貯湯タンク（２）と前記機能部品が収納される筐体（６１）を備え、
前記機能部品は、前記筐体（６１）内であって前記貯湯タンク（２）の頂部よりも高い位置に配置されていることを特徴とする請求項１から３のいずれかに記載のヒートポンプ式給湯装置。
【請求項５】
前記機能部品の位置は、前記貯湯タンク（２）内に貯えられた給湯用水が流出する給湯配管（２２）と同じ高さ、または前記給湯配管（２２）よりも上であることを特徴とする請求項１から４のいずれかに記載のヒートポンプ式給湯装置。
【請求項６】
前記貯湯タンク（２）に放熱を低減する断熱材（６２）を設け、
前記給湯配管（２２）を前記断熱材（６２）から臨ませたことを特徴とする請求項５に記載のヒートポンプ式給湯装置。
【請求項７】
前記機能部品には、混合弁（４、５、１７、２３）が含まれることを特徴とする請求項１から６のいずれかに記載のヒートポンプ式給湯装置。
【請求項８】
前記混合弁（４、５、１７、２３）は複数個設けられ、前記複数個の混合弁は、前記貯湯タンク（２）の天面よりも上方の同じ高さに配置されていることを特徴とする請求項７に記載のヒートポンプ式給湯装置。
【請求項９】
前記複数個の混合弁は、前記給湯使用側端末である浴槽への給湯用水を温調する湯張り用混合弁（１７）と、前記給湯使用側端末である給湯用水栓への給湯用水を温調する給湯用混合弁（２３）であることを特徴とする請求項８に記載のヒートポンプ式給湯装置。
【請求項１０】
前記機能部品には、市水を取り入れる市水配管（１４）に設けられる減圧弁（１３）が含まれることを特徴とする請求項１から９のいずれかに記載のヒートポンプ式給湯装置。
【請求項１１】
前記機能部品には、貯湯タンク（２）内の圧力を下げるための逃がし弁（３５）が含まれ、前記逃がし弁（３５）は、前記貯湯タンク（２）の天面よりも上に配置されている前記機能部品のなかで最も高い位置に配置されていることを特徴とする請求項１から１０のいずれかに記載のヒートポンプ式給湯装置。
【請求項１２】
前記機能部品には、循環ポンプ（１９、４９）が含まれることを特徴とする請求項１から１１のいずれかに記載のヒートポンプ式給湯装置。
【請求項１３】
前記機能部品には、浴槽内の浴水を追い焚きするための追焚き用熱交換器（５７）が含まれることを特徴とする請求項１から１２のいずれかに記載のヒートポンプ式給湯装置。
【請求項１４】
筐体（６１）内に前記ヒートポンプユニット（１）および前記貯湯タンク（２）を収納して外観上一体化して設置し、
前記給湯使用側端末に連通する配管を接続するための配管取出し部（５２、５３、５４）を前記筐体（６１）の上部（５６）に配置することを特徴とする請求項１から１３のいずれかに記載のヒートポンプ式給湯装置。
【請求項１５】
筐体（６１）内に前記ヒートポンプユニット（１）および前記貯湯タンク（２）を収納して外観上一体化して設置し、
前記給湯使用側端末に連通する配管を接続するための配管取出し部（５２、５３、５４）を前記筐体（６１）の下部（５６Ａ）に配置することを特徴とする請求項１から１３のいずれかに記載のヒートポンプ式給湯装置。
【請求項１６】
前記ヒートポンプユニット（１）、前記貯湯タンク（２）のそれぞれを別個の筐体（６１、６５）内に設け、
前記給湯使用側端末および前記ヒートポンプユニット（１）に連通する複数の配管を接続するための配管取出し部（５２、５３、５４）を、前記貯湯タンク（２）が収納される筐体（６１）の上部（５６）に配置することを特徴とする請求項１から１３のいずれかに記載のヒートポンプ式給湯装置。
【請求項１７】
前記ヒートポンプユニット（１）、前記貯湯タンク（２）のそれぞれを別個の筐体（６１、６５）内に設け、
前記給湯使用側端末および前記ヒートポンプユニット（１）に連通する複数の配管を接続するための配管取出し部（５２、５３、５４）を、前記貯湯タンク（２）が収納される筐体（６１）の下部（５６Ａ）に配置することを特徴とする請求項１から１３のいずれかに記載のヒートポンプ式給湯装置。
【発明の詳細な説明】
【技術分野】
【０００１】
本発明は、ヒートポンプユニットによって沸き上げられた給湯用水を用いて給湯使用側端末へ温水を供給するヒートポンプ式給湯装置に関する。
【背景技術】
【０００２】
従来のヒートポンプ式給湯装置は、圧縮機、熱交換器などの部品を環状に接続した冷媒回路内に冷媒を充填して構成された冷凍サイクルと第１貯湯タンクとを配設した第１ユニットと、第２貯湯タンクを配設した第２ユニットの二つのユニットから構成されている。そして、給湯用水の流れを制御するポンプ、混合弁などの機能部品は、ユニットを形成する筐体の内壁面とタンクの外壁面との間の空いているスペースを利用して配置されている（例えば、特許文献１参照）。
【特許文献１】特開２００５−２６５２１３号公報
【発明の開示】
【発明が解決しようとする課題】
【０００３】
しかしながら、上記従来のヒートポンプ式給湯装置においては、ポンプ、混合弁などの機能部品を流通する給湯用水が各部品に停留することがあり、外気温度が低温である場合には、この停留した水が凍結するというという問題があった。そして、このような従来のヒートポンプ式給湯装置は、凍結を防止するため、機能部品や配管を暖めるヒータを備えている。
【０００４】
そこで、本発明の目的は、上記問題点を鑑みてなされたものであり、機能部品に停留する水をヒータを用いないで温めて機能部品の凍結を低減するヒートポンプ式給湯装置を提供することにある。
【課題を解決するための手段】
【０００５】
上記目的を達成するために、以下の技術的手段を採用する。すなわち、請求項１に係るヒートポンプ式給湯装置の発明は、高温高圧の冷媒と熱交換させて給湯用水を沸き上げるヒートポンプユニット（１）と、ヒートポンプユニット（１）によって加熱された給湯用水を貯える貯湯タンク（２）と、ヒートポンプユニット（１）によって加熱された給湯用水が直接または貯湯タンク（２）内を介して出湯される給湯使用側端末と、給湯用水の流れを制御する働きを有し、貯湯タンク（２）内または給湯使用側端末に連通するように設けられる機能部品（４、５、１３、１７、１９、２３、３５、４０、４１、４６、４９、５７）と、給湯使用側端末である浴槽に湯張りされる給湯用水の流路（１８）を開閉する湯張り用開閉弁（４１）と、を備えており、当該機能部品（４、５、１３、１７、１９、２３、３５、４０、４１、４６、４９、５７）は、貯湯タンク（２）の上部表面よりも高い位置に配置され、さらに貯湯タンク（２）を平面視したとき、貯湯タンク（２）の外周縁上、または外周縁よりも内側に位置し、機能部品には、湯張り用開閉弁（４１）に流入する逆流水を逃がすための逆流水開放弁（４６）が含まれることを特徴とする。なお、貯湯タンク（２）の上部表面とは、貯湯タンク（２）を形成する表面部のうち、上方に向いた面であり、例えば、タンクの天井部を構成する天面である。
【０００６】
この発明によれば、機能部品を貯湯タンクの上部表面よりも高い位置に配置することにより、貯湯タンク内に貯められた給湯用水のうち、最上部の高温水が放出する熱量や、タンクの天面などから突出し高温水が流れ出る給湯配管から放出される熱量が、機能部品に伝わることになり、機能部品内に停留する水が温められ、機能部品の凍結を低減することができる。また、複数の機能部品を配置した場合には、機能部品間の配管長さ、配管の組み付け工数、および配管の圧損を低減することができる。さらに、タンクや給湯配管などから発生する放熱量を機能部品に確実に与えることができる。また、複数の機能部品を配置した場合には、機能部品は平面視でタンクの中央部に集まるように配置されるので、配管からの放熱をより受熱しやすくなるとともに、機能部品間の配管長さ、配管の組み付け工数、および配管の圧損をより一層低減することができる。またこの発明によれば、逆流水が流れる逆流開放弁は水が停留しやすいため、逆流開放弁に温熱を与えることによって凍結の低減に対して顕著な効果が得られる。
請求項２によると、請求項１における逆流水開放弁（４６）は、貯湯タンク（２）の天面よりも上に配置されている機能部品のなかで最も低い位置に配置されていることが好ましい。この発明によれば、逆流水開放弁が低い位置にあるので、逆流水を下方に排水しやすくなる。
【０００９】
請求項３の発明は、請求項１または２に記載の発明において、機能部品は、貯湯タンク（２）の頂部よりも上方に配置されていることが好ましい。この発明によれば、機能部品は、給湯配管にタンク内最上部の高温水が流れるときに上方に放出される熱をより確実に受熱することができる。
【００１０】
請求項４の発明は、請求項１から３のいずれかに記載の発明において、貯湯タンク（２）と機能部品が収納される筐体（６１）を設け、機能部品は、当該筐体（６１）内であって貯湯タンク（２）の頂部よりも高い位置に配置されていることが好ましい。
【００１１】
この発明によれば、給湯配管にタンク内最上部の高温水が流れるときに上方に放出される熱は、タンクの頂部と筐体の天面部との間に滞留するので、この空間の空気温度は上昇することになり、機能部品をさらに温めることができる。
【００１２】
請求項５の発明は、請求項１から４のいずれかに記載の発明において、機能部品の位置が、貯湯タンク（２）内に貯えられた給湯用水が流出する給湯配管（２２）と同じ高さ、または給湯配管（２２）よりも上であることが好ましい。この発明によれば、高温水が流れ出る給湯配管から放出される熱量を機能部品により確実に伝えることができる。
【００１３】
請求項６の発明は、請求項５に記載の発明において、貯湯タンク（２）に放熱を低減する断熱材（６２）を設け、給湯配管（２２）を当該断熱材（６２）から臨ませていることが好ましい。この発明によれば、断熱材によってタンク表面からの放熱が抑制されたタンク内の給湯用水は、給湯配管内を流れるときに放熱することになり、機能部品はこのときの放熱を受熱するため、さらに機能部品の受熱効果を高めることができる。
【００１４】
請求項７の発明は、請求項１から６のいずれかに記載の発明において、機能部品には、混合弁（４、５、１７、２３）が含まれることが好ましい。この発明によれば、少なくとも二流路から水が流入する混合弁には流水がないときに水が停留しやすいため、混合弁に温熱を与えることによって凍結の低減に対して顕著な効果が得られる。
【００１５】
請求項８の発明は、請求項７に記載の発明において、混合弁（４、５、１７、２３）は、複数個設けられ、この複数個の混合弁は、貯湯タンク（２）の天面よりも上方の同じ高さに配置されていることが好ましい。
【００１６】
この発明によれば、複数個の混合弁をタンクの天面よりも上方の同じ高さに配置することにより、複数の混合弁をユニット化して配置することができるので、給湯回路内の凍結低減効果を向上させることができ、施工やメンテナンス性が向上する。また、混合弁間の圧力バランスが保ちやすい。
【００１７】
請求項９の発明は、請求項８に記載の発明において、複数個の混合弁は、給湯使用側端末である浴槽への給湯用水を温調する湯張り用混合弁（１７）と、給湯使用側端末である給湯用水栓への給湯用水を温調する給湯用混合弁（２３）であることが好ましい。
【００１８】
この発明によれば、給湯用混合弁と湯張り用混合弁が貯湯タンクの天面よりも上方の同じ高さに配置されることにより、給湯用水栓への出湯と浴槽への出湯との圧力バランスを保ちやすくなるという効果を奏する。
【００１９】
請求項１０の発明は、請求項１から９のいずれかに記載の発明において、機能部品には、市水を取り入れる市水配管（１４）に設けられる減圧弁（１３）が含まれることが好ましい。この発明によれば、出湯の間隔があいた場合、例えば、旅行などで不在、給湯装置の設置後入居前の期間などには、減圧弁に停留した水が凍結することがあるので、減圧弁に温熱を与えることによって凍結を低減する顕著な効果が得られる。
【００２０】
請求項１１の発明は、請求項１から１０のいずれかに記載の発明において、機能部品には、貯湯タンク（２）内の圧力を下げるための逃がし弁（３５）が含まれ、さらに、逃がし弁（３５）は、貯湯タンク（２）の天面よりも上に配置されている機能部品のなかで最も高い位置に配置されていることが好ましい。この発明によれば、空気を外部に逃がして圧力を下げる逃がし弁の働きを高めることができる。
【００２１】
請求項１２の発明は、請求項１から１１のいずれかに記載の発明において、機能部品には、循環ポンプ（１９、４９）が含まれることが好ましい。この発明によれば、出湯の間隔があいた場合、例えば、旅行などで不在の間、装置の設置後入居前の期間などには、循環ポンプには水が停留しやすく、凍結することがあるので、循環ポンプに温熱を与えることにより凍結に対して顕著な効果があり、また、凍結防止用のヒータの設置を廃止することができる。
【００２２】
請求項１３の発明は、請求項１から１２のいずれかに記載の発明において、機能部品には、浴槽内の浴水を追い焚きするための追焚き用熱交換器（５７）が含まれることが好ましい。この発明によれば、出湯の間隔があいた場合、例えば、旅行などで不在の間、給湯装置の設置後入居前の期間などには、追焚き用熱交換器の流路には水が停留しやすいので、追焚き用熱交換器に温熱を与えることによって凍結に対して顕著な効果が得られる。
【００２６】
請求項１４の発明は、請求項１から１３のいずれかに記載の発明において、筐体（６１）内にヒートポンプユニット（１）および貯湯タンク（２）を収納して外観上一体化して設置し、給湯使用側端末に連通する配管を接続するための配管取出し部（５２、５３、５４）を当該筐体（６１）の上部（５６）に配置することが好ましい。
【００２７】
この発明によれば、機能部品の配置箇所から近い場所に配管取出し部を配置するので、配管の長さや配管の圧損を低減できるとともに、メンテナンスや配管組み付け作業を筐体の上部でまとめて行うことができる。
【００２８】
請求項１５の発明は、請求項１から１３のいずれかに記載の発明において、筐体（６１）内にヒートポンプユニット（１）および貯湯タンク（２）を収納して外観上一体化して設置し、給湯使用側端末に連通する配管を接続するための配管取出し部（５２、５３、５４）を筐体（６１）の下部（５６Ａ）に配置することが好ましい。
【００２９】
この発明によれば、機能部品の配置箇所から配管を筐体内の下方に引き回して配管取出し部を配置するので、メンテナンスや配管組み付け作業を作業者の負担が軽い筐体の下部の低所で行うことができる。
【００３０】
請求項１６の発明は、請求項１から１３のいずれかに記載の発明において、ヒートポンプユニット（１）、貯湯タンク（２）のそれぞれを別個の筐体（６１、６５）内に設け、給湯使用側端末およびヒートポンプユニット（１）に連通する複数の配管を接続するための配管取出し部（５２、５３、５４）を、前記貯湯タンク（２）が収納される筐体（６１）の上部（５６）に配置することが好ましい。
【００３１】
この発明によれば、機能部品の配置箇所から近い場所に配管取出し部を配置するので、配管の長さや配管の圧損を低減できるとともに、メンテナンスや配管組み付け作業を貯湯タンクの筐体の上部でまとめて行うことができる。
【００３２】
請求項１７の発明は、請求項１から１３のいずれかに記載の発明において、ヒートポンプユニット（１）、貯湯タンク（２）のそれぞれを別個の筐体（６１、６５）内に設け、給湯使用側端末およびヒートポンプユニット（１）に連通する複数の配管を接続するための配管取出し部（５２、５３、５４）を、貯湯タンク（２）が収納される筐体（６１）の下部（５６Ａ）に配置することが好ましい。
【００３３】
この発明によれば、機能部品の配置箇所から配管を筐体内の下方に引き回して配管取出し部を配置するので、メンテナンスや配管組み付け作業を作業者の負担が軽い貯湯タンクの筐体下部の低所で行うことができる。
【００３４】
なお、上記各手段の括弧内の符号は、後述する実施形態の具体的手段との対応関係を示す一例である。
【発明を実施するための最良の形態】
【００３５】
（第１実施形態）
本発明の第１実施形態におけるヒートポンプ式給湯装置６０の構成および各部の配置構成を図１および図２を用いて説明する。図１は本実施形態におけるヒートポンプ式給湯装置６０および配管構成を示した模式図である。
【００３６】
本実施形態のヒートポンプ式給湯装置６０は、貯湯式のヒートポンプ式給湯装置であり、主に一般家庭用として使用されるものであり、貯湯タンク２内に蓄えられた給湯用の温水や、ヒートポンプユニット１で沸き上げられた温水を台所、洗面所、浴室などへの給湯使用側端末に供給するものである。なお、給湯使用側端末は、シャワー、カラン、手洗い栓などの給湯用水栓や、風呂の浴槽である。
【００３７】
図１に示すように、ヒートポンプ式給湯装置は、水・冷媒熱交換器１ａで水を高温高圧の冷媒と熱交換させて加熱するヒートポンプユニット１と、水・冷媒熱交換器１ａで加熱された温水を貯える貯湯タンク２と、本給湯装置の作動を制御する制御手段である制御装置（図示せず）と、を備えている。
【００３８】
そして、ヒートポンプ式給湯装置６０は、給湯用水が流れる主な配管として、貯湯タンク２内の水が水・冷媒熱交換器１ａの水流路を通って貯湯タンク２内上部の高温水部に戻るように貯湯タンク２と水・冷媒熱交換器１ａとを連絡する循環配管１０と、貯湯タンク２内の高温水部の温水が流出して給湯使用側端末まで流れる給湯配管２２と、水・冷媒熱交換器１ａで加熱された温水が貯湯タンク２に至るまでの間の循環配管１０と給湯配管２２とを連絡する直接出湯配管３と、貯湯タンク２内の中温水部と直接出湯配管３を連絡する中温水配管３６と、を備えている。
【００３９】
さらに、給湯配管２２は、シャワー、カラン、手洗い栓などに連通しており、途中で分岐する配管は風呂用配管１８であり、風呂の浴槽内に連通している。貯湯タンク２の下部には、水道水などの市水を取り入れる市水配管１４から分岐した市水流入配管１５が接続されている。循環配管１０には、市水配管１４と連通する給水用配管１６が接続されている。なお、市水配管１４には、給水を停止できる止水栓２１が設けられ、さらに給水の水温を検出する給水温サーミスタ３４が設けられている。
【００４０】
貯湯タンク２は、給湯用の湯を蓄える容器であり、耐食性に優れた金属製、例えば、ステンレス製からなり、その外周部に図示しない断熱材が設けられ、給湯用の高温水を長時間に渡って保温することができる。貯湯タンク２は縦長形状であり、その底面に導入口６が設けられている。
【００４１】
貯湯タンク２には、貯湯タンク２内部の貯湯量および貯湯温度を検出するために高さ方向に４個並んだサーミスタからなる水温サーミスタ３０が設けられている。貯湯タンク２内に満たされた湯もしくは水の水位レベルでの温度情報は、制御装置に出力される。したがって、制御装置は、水温サーミスタ３０からの温度情報に基づいて、貯湯タンク２内上方の沸き上げられた湯と貯湯タンク２内下方の沸き上げられる前の水との境界位置を検出できるとともに、これにより貯湯量が検出できるようになっている。
【００４２】
この導入口６には貯湯タンク２内に市水を供給する市水流入配管１５が接続されている。市水流入配管１５と連通する市水配管１４には、導入される水道水の水圧が所定圧となるように調節するとともに、断水などにおける湯の逆流を防止する減圧弁１３が設けられている。この市水配管１４は、後述する湯張り用混合弁１７および給湯用混合弁２３につながっている。なお、市水流入配管１５には、排水のための排水バルブを設けてもよい。
【００４３】
貯湯タンク２の底面にはタンク内の最下部の水を吸入するための吸入口８が設けられ、貯湯タンク２の上部にはタンク内の最上部に温水を吐出する吐出口１２が設けられている。吸入口８と吐出口１２は、水・冷媒熱交換器１ａを介在させて循環配管１０と接続されることで連通している。循環配管１０の一部は水・冷媒熱交換器１ａの水流路を構成している。
【００４４】
吸入口８と水・冷媒熱交換器１ａとの間の循環配管１０には、水・冷媒熱交換器１ａに供給される水の温度を検出する入水温度サーミスタ３１と、逆止弁２８と、循環配管１０の水を強制的に流動させる循環ポンプ９と、が設けられている。なお、逆止弁２８の上流側には、所定圧力値で作動する缶体保護弁を設けてもよい。
【００４５】
さらに、水・冷媒熱交換器１ａの出口には、水・冷媒熱交換器１ａで加熱された水の温度を検出する沸上げ温度サーミスタ３２が設けられている。そして、いずれのサーミスタによって検出された温度情報も制御装置に出力される。また、市水を取り入れる給水用配管１６には、逆止弁２９が設けられている。
【００４６】
ヒートポンプユニット１は、冷媒として臨界温度の低い二酸化炭素を使用するヒートポンプサイクルを有し、閉回路で構成されたヒートポンプサイクルにおいて少なくとも圧縮機、加熱手段としての水・冷媒熱交換器１ａ、減圧器、および蒸発器が接続されている。ヒートポンプユニット１は、水・冷媒熱交換器１ａの冷媒流路を流れる高温高圧の冷媒と、水・冷媒熱交換器１ａの水流路を流れる水との間で熱交換を行うことにより、温水を沸き上げることができる。ヒートポンプユニット１は制御装置に信号の出力を行っている。なお、ヒートポンプユニット１は、電気式エジェクタを用いたエジェクタ式サイクルで構成してもよい。
【００４７】
ヒートポンプサイクルを超臨界ヒートポンプで構成した場合、一般的なヒートポンプサイクルよりも高温、例えば、８５℃〜９０℃程度の湯を貯湯タンク２内に蓄えることができる。ヒートポンプサイクルは、主に、貯湯タンク２内に貯まっている温水が不足している場合や料金設定の安価な深夜時間帯の深夜電力を利用して貯湯タンク２内の湯を沸き上げる沸上げ給湯運転を行う。
【００４８】
水・冷媒熱交換器１ａの水流路出口から貯湯タンク２に至るまでの間の範囲の循環配管１０には、直接出湯配管３が接続されている。この直接出湯配管３と循環配管１０との合流部には、切替弁１１が設けられている。つまり、切替弁１１は、水・冷媒熱交換器１ａで加熱された温水をその水温に応じて直接出湯配管３側、または貯湯タンク２側に流すことができる流れ方向切換手段である。
【００４９】
この切替弁１１は検出した流体の温度に応じて流れ方向を切り替える温度切替弁であることが好ましい。この温度切替弁は、流体がサーモエレメントに接触すると熱膨張体が流体の温度を検知してその温度に応じて流体の流れ方向を切り替える弁である。
【００５０】
貯湯タンク２の最上部には導出口７が設けられ、導出口７には貯湯タンク２内に蓄えられた給湯用の温水のうち、高温水を導出するための給湯配管２２が接続されている。なお、この給湯配管２２の経路途中には、逃がし弁３５が配設された排出配管が接続され、貯湯タンク２内の圧力が所定圧以上に上昇した場合には、貯湯タンク２内の温水を外部に排出して、貯湯タンク２等に損害を与えないように構成されている。
【００５１】
貯湯タンク２内のほぼ中間部である中温水部は、貯湯タンク２内に蓄えられた給湯用の温水のうち、中温水を導出するための中温水配管３６と連絡されている。直接出湯配管３と中温水配管３６の合流部には、第１混合弁４が設けられている。第１混合弁４は、直接出湯配管３を流れてきた温水を給湯配管２２側に流すか、後述する第２混合弁５の閉弁と連動して貯湯タンク２内の中温水部側に流すかを制御することができる。
【００５２】
さらに、第１混合弁４よりも下流部位であって直接出湯配管３と給湯配管２２の合流部には、第２混合弁５が設けられている。第２混合弁５は、湯張り用混合弁１７および給湯用混合弁２３に流通させる給湯用水の湯温を調節する温度調節弁であり、それぞれの開口面積比を調節することで、給湯配管２２から取り出した高温水と直接出湯配管３から取り出した中温水との混合比を調節することができる。
【００５３】
第１混合弁４および第２混合弁５は、制御装置に電気的に接続されており、水温サーミスタ３０および湯温サーミスタ３３によって検出される温度情報に基づいて制御される。湯温サーミスタ３３は、第２混合弁５の下流側に設けられ、第２混合弁５で混合された温水の温度を検出している。第２混合弁５よりも下流部位には、給湯配管２２と分岐した風呂用配管１８とが接続されている。ここでは、湯温サーミスタ３３で検出された温度情報が、浴槽設定温度、シャワー設定温度などに対して＋２℃程度となるように温度調節している。
【００５４】
このように第１混合弁４および第２混合弁５は、水・冷媒熱交換器１ａを経て直接出湯配管３を流れてきた温水を貯湯タンク２内の中温水部側、または給湯配管２２側に流す切替手段として機能する。
【００５５】
給湯用混合弁２３および湯張り用混合弁１７は、それぞれ給湯配管２２、風呂用配管１８の末端で出湯する給湯用水の湯温を調節する温度調節弁である。これらは、それぞれの開口面積比、つまり、第２混合弁５で温度調節された給湯用水側の開度と市水配管１４に連通する水側の開度の比率を調節することによって、出湯する湯温を設定温度に調節する。
【００５６】
給湯用混合弁２３と湯張り用混合弁１７は、制御装置と電気的に連絡されており、給水サーミスタ３４、湯温サーミスタ３３、給湯サーミスタ２４、循環用給湯サーミスタ４４によって検出される温度情報に基づいて制御される。
【００５７】
給湯サーミスタ２４は給湯配管２２内の温度情報を、流量カウンタ２５は給湯配管２２内の流量情報を、循環用給湯サーミスタ４４は風呂用配管１８内の温度情報を、湯張り用流量カウンタ４２は風呂用配管１８内の流量情報を、それぞれ制御装置に出力する。
【００５８】
なお、第２混合弁５、給湯用混合弁２３、および湯張り用混合弁１７は、それぞれの出口側に設けられた湯温サーミスタ３３、給湯サーミスタ２４、もしくは循環用給湯サーミスタ４４によって検出される給湯用水の湯温に基づいてフィードバック制御が行われている。
【００５９】
また、流量カウンタ２５、湯張り用流量カウンタ４２がそれぞれの給湯配管２２、風呂用配管１８内の水の流れを検出したときは、それぞれの配管の末端にある給湯水栓、シャワー、もしくは後述する湯張り用電磁弁４１が開弁されて給湯用水を出湯している状態である。
【００６０】
給湯配管２２は、下流端に接続されたシャワー、カラン、手洗い栓などの給湯水栓へ設定温度に温度調節された給湯用水を導く配管である。この配管の中途には給湯用混合弁２３、給湯サーミスタ２４、および流量カウンタ２５が設けられ、さらに、給湯配管２２は配管取出し部５２で給湯使用側端末に連通する配管と接続されている。
【００６１】
風呂用配管１８は、その下流端が浴槽流出配管５０と浴槽流入配管５１からなる循環回路に繋がれ、浴槽内に湯張り、差し湯、たし湯などを行うときに、所定温度に温度調節された給湯用水を導く配管である。風呂用配管１８の中途には、温度調節手段である湯張り用混合弁１７が設けられている。
【００６２】
さらに、湯張り用混合弁１７よりも下流側の風呂用配管１８には、湯張り用開閉弁である湯張り用電磁弁４１と、湯張り用流量カウンタ４２と、循環回路内の浴水が風呂用配管１８を通って逆流させないための逆止弁４３と、湯張り用開電磁弁４１に流入する逆流水を逃がして外部に排出するための逆流水開放弁４６と、が設けられている。
【００６３】
浴槽流入配管５１とともに循環回路を構成する浴槽流出配管５０には、上流側、つまり浴槽に近い側から順に、水圧センサ４７、風呂循環用電動弁４８、および循環ポンプ４９が設けられている。浴槽流出配管５０と浴槽流入配管５１との連結部は、給湯配管２２との合流部でもあり、この合流部に循環用給湯サーミスタ４４が設けられている。また、浴槽流入配管５１には、合流部から下流の浴槽に向かって順に、流水スイッチ４５、風呂三方弁５５、および追焚き温度サーミスタ３９が設けられている。浴槽流入配管５１は配管取出し部５４で浴槽に連通する配管と接続され、この配管は、浴槽内部を通じて配管取出し部５３と接続されている浴槽流出配管５０に連通している。
【００６４】
水圧センサ４７は、浴槽内に湯張りされた浴水の湯量、言い換えれば浴槽内の水位レベルを求めるための水圧を検出するセンサである。風呂循環用電動弁４８は循環回路を開閉する電磁弁である。循環用給湯サーミスタ４４は、浴槽流出配管５０を流通する浴水の湯温を検出する水温センサである。
【００６５】
流水スイッチ４５は、循環ポンプ４９が駆動することにより循環回路内を循環する浴水を検知する流水センサであり、制御装置がこのスイッチのＯＮ時間によって浴槽内の浴水の有無を判断するために用いられる。循環ポンプ４９は浴槽内の浴水を循環回路内で強制的に循環させる電動ポンプである。
【００６６】
なお、湯張り用電磁弁４１、湯張り用流量カウンタ４２、逆止弁４３、逆流水開放弁４６、循環用給湯サーミスタ４４、および流水スイッチ４５は、これらを接続する配管とともに一体化したモジュールにより構成してもよい。このモジュールは湯張り用電磁弁アッシィ４０であり、配管長さを可能な限り短くして圧力損失や流路抵抗を低減した箱体状のユニット部品として構成してもよい。また、このモジュールは樹脂材料で形成することにより、軽量化をして施工性、メンテナンス性を高めることができる。
【００６７】
追焚き温度サーミスタ３９は、浴槽流入配管５１を流通する浴水の湯温を検出する水温センサであり、浴槽内に戻される浴水の温度を検出する。なお、水圧センサ４７、流水スイッチ４５、循環用給湯サーミスタ４４、および追焚き温度サーミスタ３９は、それぞれの容積情報、流水情報および温度情報を制御装置に出力し、風呂循環用電動弁４８および循環ポンプ４９は制御装置によって制御される。
【００６８】
湯張り後に浴槽内の浴水の温度を検出するときは、湯張り用電磁弁４１を閉じるとともに、循環ポンプ４９を作動させる。そして、浴槽内の浴水を浴槽流出配管５０、浴槽流入配管５１、浴槽内の順に循環させながら循環用給湯サーミスタ４４によって浴水の温度を検出する。
【００６９】
制御装置は、マイクロコンピュータを主体として構成され、記憶手段として内蔵するＲＯＭまたはＲＡＭには、あらかじめ設定された制御プログラムや更新可能な制御プログラムが備えられている。制御装置は、各サーミスタ２４、３０、３１〜３４、３９、４４からの温度情報、各流量カウンタ２５、４２および流水スイッチ４５からの流量情報、および台所リモコン（図示せず）や風呂リモコン（図示せず）の操作スイッチからの操作信号等に基づいて、ヒートポンプユニット１、各混合弁４、５、１７、２３、湯張り用電磁弁４１、切替弁１１、風呂三方弁５５、循環ポンプ９、追焚き用ポンプ１９、および循環ポンプ４９などのアクチュエータ類を制御する。
【００７０】
なお、台所リモコンや風呂リモコンには、電源操作部、給湯設定温度操作部、湯張り操作部、湯張り設定温度操作部、追い焚き操作部、追い焚き設定温度操作部などが設けられている。
【００７１】
次に、追い焚き機能の構成について説明する。ヒートポンプ式給湯装置６０は、風呂の浴槽の湯を熱交換によって追い焚きする追焚き用熱交換器５７を備えている。そして、追焚き用熱交換器５７には、この追焚き用熱交換器５７と、貯湯タンク２の吐出口１２よりも上流に位置する部位の循環配管１０とを連絡するように熱交換器流入配管３８が接続され、さらに熱交換器流入配管３８と連通するように貯湯タンク２内の下部と追焚き用熱交換器５７とを連絡する熱交換器流出配管３７が接続されている。
【００７２】
熱交換器流入配管３８と熱交換器流出配管３７は、追焚き用熱交換器５７内の給湯用水流路を介して連通し、この給湯用水流路、熱交換器流出配管３７、貯湯タンク２内部、循環配管１０、および熱交換器流入配管３８は、浴槽の浴水を加熱する追焚き用回路を構成する。この追焚き用回路には、給湯用水を追焚き用回路内で強制的に循環させるための追焚き用ポンプ１９が設けられている。
【００７３】
一方、給湯用水と熱交換して加熱される浴水の通り道である追焚き用熱交換器５７内の浴水流路は、熱交換器流入配管２０と熱交換器流出配管２６に接続されている。熱交換器流入配管２０は、浴槽流入配管５１と連通するように風呂三方弁５５に接続されることにより、浴水流路と浴槽内部とを連結している。熱交換器流出配管２６は、風呂三方弁５５よりも下流側部位の浴槽流入配管５１と接続されることにより、浴水流路と浴槽内部とを連結している。
【００７４】
浴水の追い焚き運転を実施する場合には、制御装置は、風呂循環用電動弁４８を開弁し、浴槽流出配管５０に設けられた循環ポンプ４９を作動させ、さらに、風呂三方弁５５を熱交換器流入配管２０側に開弁する制御を実行し、浴水が浴水流路と浴槽内部との間を循環することになる。さらに、制御装置は、循環配管１０における循環ポンプ９、および追焚き用ポンプ１９を作動し、切替弁１１を貯湯タンク２の吐出口１２側に切り替える制御を実行し、給湯用水が追焚き用回路内を循環することになる。
【００７５】
このとき、浴水は、浴槽内から流出して浴槽流出配管５０を流れ、風呂三方弁５５によって熱交換器流入配管２０に流入して追焚き用熱交換器５７の浴水流路で、給湯用水流路を流れる給湯用水から受熱して水温が上昇し、熱交換器流出配管２６を経由した後、浴槽流入配管５１に流入して浴槽内に戻ってくる。そして、制御装置は、循環用給湯サーミスタ４４によって検出される浴水の温度が所定温度になるまで追い焚き運転を継続する。
【００７６】
図２は、筐体６１内におけるヒートポンプ式給湯装置６０の各部の配置構成を示した模式図である。図２に示すように、ヒートポンプ式給湯装置６０は、貯湯タンクユニット６４と、ヒートポンプユニット１と、から構成されている。この貯湯タンクユニット６４とヒートポンプユニット１は、一体化した状態で設置されている。
【００７７】
具体的には、給湯用水の流れを制御する働きを有し、貯湯タンク２内または給湯使用側端末に連通するように設けられる機能部品、配管、および貯湯タンク２と、ヒートポンプユニット１は、鋼板で形成された筐体６１内に収納されており、これら全体が筐体６１で覆われているため、貯湯タンク２とヒートポンプユニット１は外観上一体化して設置されていることになる。なお、筐体６１は鋼板で囲まれた直方体であり複数本の脚部を備えており、貯湯タンク２の外表面は断熱材６２によって覆われている。
【００７８】
筐体６１の内部は、一方側に水・冷媒熱交換器１ａを含むヒートポンプユニット１が配置されており、ヒートポンプユニット１の側方に相当する他方側には貯湯タンクユニット６４が配置されている。貯湯タンクユニット６４は、大きく貯湯タンク２、機能部品、および配管からなり、筐体６１内において機能部品は貯湯タンク２の上部表面より高い位置に配置されている。貯湯タンク２の上部表面とは、貯湯タンク２を形成する表面部のうち、上方に向いた面であり、例えば、タンクの天井部を構成する天面である。
【００７９】
また、機能部品は、貯湯タンク２の最も高い部位に相当する頂部よりも上方に配置されていることが好ましい。これは、給湯配管２２に貯湯タンク内最上部の高温水が流れるときに上方に放出される熱は、貯湯タンク２の頂部と筐体の天面部との間に滞留するので、この空間の空気温度は上昇することになり、機能部品をさらに温めることができるからである。
【００８０】
ここで機能部品としては、給湯用水の流れを制御する働きを有する流路上に配設される部品であり、流体の流れを停止したり、流れ方向を変えたり、配管内の圧力を制御したりする弁や、流体を強制的に動かす駆動部品（ポンプ）や、流体を加熱するための装置である。例えば、機能部品は、水が停留しやすい混合弁である第１混合弁４、第２混合弁５、湯張り用混合弁１７、給湯用混合弁２３や、その他の弁機構を有する減圧弁１３、逃がし弁３５、湯張り用電磁弁４１、逆流水開放弁４６、風呂循環用電動弁４８、風呂三方弁５５や、循環ポンプである循環ポンプ９、追焚き用ポンプ１９、風呂循環ポンプ４９や、追焚き用熱交換器５７などである。なお、これらの機能部品の中から複数個の部品を適宜選択し、各部品を接続する配管とともに一体化してブロック状とした機能部品ユニット６３を構成してもよい。
【００８１】
これらの各部品を貯湯タンク２の上部表面または頂部よりも上方に配置することにより、貯湯タンク２内に貯められた給湯用水のうち、最上部の高温水による放熱や、貯湯タンク２内の高温水が流れ出る給湯配管２２からの放熱が、各機能部品に伝わることになる。これによって、機能部品内に停留する水が温められるため、外気が低温であるときに発生する機能部品の凍結を低減することができる。
【００８２】
筐体６１の上部のタンク上方部５６には、給湯使用側端末に連通する配管を接続するための配管取出し部を設けている。配管取出し部をタンク上方部５６には位置することにより、配管取出し部が機能部品の配置箇所から近い場所に配置されるので、配管の長さや配管の圧損を低減でき、さらに、メンテナンスや配管組み付け作業を筐体６１の上部でまとめて行うことができる。この配管取出し部は、給湯使用側端末とヒートポンプ式給湯装置６０の配管とを接続するためのものであり、給湯使用側端末へ連通させる必要のある複数の配管接続口を束ねるようにして配置されている。この複数の配管接続口は、給湯水栓に通じる配管と接続する給湯用配管取出し部５２と、浴槽へ通じる２本の配管それぞれと接続する浴槽用配管取出し部５３、５４である。
【００８３】
なお、この配管取出し部は、筐体６１の下部のタンク下方部５６Ａに配置する構成としてもよく、この構成の場合には、メンテナンスや配管組み付け作業を作業者の負担が軽い筐体６１の下部の低所で行うことができる。
【００８４】
次に、各機能部品の配置の一例について図３および図４を用いて説明する。図３は、貯湯タンク２を平面視したときの機能部品の配置を示した概略的平面図である。図４は、各機能部品の鉛直方向における位置関係を示した図３のＸ矢視図である。なお、図３においては、図面の手前側が鉛直上方向であり、図面の奥側が鉛直下方向である。また、図４においては、図面の上側が鉛直上方向であり、図面の下側が鉛直下方向である。
【００８５】
図３および図４に示すように、機能部品は、貯湯タンク２の頂部に当たる配管取出しフランジ６５よりも高い位置に配置されており、さらに、貯湯タンク２を平面視したとき、貯湯タンク２の外周縁上、または外周縁よりも内側に位置していることが好ましい。換言すれば、機能部品は、縦長形状の密閉缶である貯湯タンク２の天面や頂部、さらに頂部から肩部に亘ってその上方に位置するように配置されていることが好ましい。
【００８６】
また、機能部品は、鉛直方向について、貯湯タンク２内上部の高温水が流出する通り道を形成する給湯配管２２と同じ高さ位置、または給湯配管２２よりも高い位置に配置することが好ましい。これは、高温水が流れ出る給湯配管２２から放出される熱量を機能部品により確実に伝えることができるからである。
【００８７】
筐体６１内に収納された貯湯タンク２は、断熱材６２で覆われており、特に貯湯タンク２の鉛直方向に伸長する側部は、発泡系断熱材６２ｃで覆われ、配管取出しフランジ６５を含む天面、頂部やタンクから突出する配管の周囲は、蓋をされるような形態で真空断熱材６２ａによって覆われている。真空断熱材６２ａは、多孔質構造の芯材をラミネートフィルムで被覆した後に内部を減圧して封止した断熱材であり、優れた断熱性能と薄形性を備えている。芯材は、ウレタンなどの発泡体、シリカなどの粉末材料、またはグラスウールなどの繊維材料で構成している。
【００８８】
給湯配管２２は、貯湯タンク２から突出する付け根部分の周囲をヒートシール部６２ｂでシールされた状態で、貯湯タンク２の頂部を覆っている真空断熱材６２ａから臨み、上方に伸長した後、筐体６１内で側方に伸長する。同様に、循環配管１０の吐出口１２の周囲もヒートシール部６２ｂでシールされた状態で真空断熱材６２ａから臨み、上方に伸長した後、筐体６１内で側方に伸長する。
【００８９】
側方に伸長した給湯配管２２には第２混合弁５が接続され、第２混合弁５には配管を介して湯張り用混合弁１７、給湯用混合弁２３、および逃がし弁３５が接続され、さらに、市水配管１４を介して減圧弁１３が接続されている。また、湯張り用混合弁１７には風呂用配管１８を介して流量カウンタ４２、湯張り用電磁弁４１、および逆流水開放弁４６といった部品を一体化したモジュールである湯張り用電磁弁アッシィ４０が接続されている。このモジュールは樹脂材料で形成することにより、軽量化をして施工性、メンテナンス性を高めることができる。
【００９０】
真空断熱材６２ａで覆われた貯湯タンク２の頂部、天面、肩部の上方には、給湯配管２２に接続されている第２混合弁５などの前述の機能部品の他、熱交換器流出配管３７と接続される接続口１９ａ、１９ｂを側部に有する追焚き用ポンプ１９や、浴槽流出配管５０と接続される接続口４９ａ、４９ｂを上部に有する風呂循環ポンプ４９が配置されている。
【００９１】
なお、図４に示すように、貯湯タンク２の頂部、天面、肩部の上方には、複数個の混合弁を配置し、これらの混合弁を同じ高さに位置させることが好ましい。これは、複数の混合弁をユニット化して配置することができるので、給湯回路内の凍結低減の効果を向上させることができ、混合弁間の圧力バランスが保ちやすいからである。
【００９２】
特に、複数個の混合弁は、給湯用混合弁２３と湯張り用混合弁１７であることが好ましい。これは、給湯用水栓への出湯と浴槽への出湯との圧力バランスが保ちやすくなるからである。また、複数個の混合弁はまとまったモジュールを形成する形態で配置することが好ましい。
【００９３】
さらに、逃がし弁３５は、貯湯タンク２の頂部、天面、肩部の上方に配置されている機能部品の中で最も高い位置に配置することが好ましい。逆に、逆流開放弁４６は、貯湯タンク２の頂部、天面、肩部の上方に配置されている機能部品の中で最も低い位置に配置することが好ましい。
【００９４】
貯湯タンク２はその全体が断熱材で覆われているため、タンク内上部の高温水から発生する熱は、断熱材を設けにくいヒートシール部６２ｂや給湯配管２２の付け根部分から外部に放出される。本実施形態の機能部品は、この放熱を効果的に受熱できる位置に配置するものである。
【００９５】
このように本実施形態のヒートポンプ式給湯装置は、貯湯タンク２を平面視したとき、機能部品を貯湯タンク２の外周縁上、または外周縁よりも内側に位置するように配置する構成を備えている。この構成によれば、機能部品に貯湯タンク２や給湯配管２２などから発生する放熱量を機能部品に確実に与えることができる。また、各機能部品は平面視でタンクの中央部に集まるように配置されるので、配管からの放熱をより受熱しやすくなり、機能部品間の配管長さ、配管の組み付け工数、および配管の圧損をより一層低減できる。
【００９６】
また、貯湯タンク２の上方に配置する機能部品は、減圧弁１３、逃がし弁３５、湯張り用電磁弁４１、逆流水開放弁４６、風呂循環用電動弁４８、風呂三方弁５５、追焚き用ポンプ１９、風呂循環ポンプ４９、または追焚き用熱交換器５７であることが好ましい。この場合、旅行などで不在の期間や給湯装置の設置後入居前の期間などには、各機能部品には水が停留しやすいため、給湯配管２２や貯湯タンク２からの熱を受熱することによる凍結防止効果が大きい。
【００９７】
（第２実施形態）
第２実施形態におけるヒートポンプ式給湯装置の配管構成を図５を用いて説明する。図５は本実施形態におけるヒートポンプ式給湯装置の概略構成および配管構成を示した模式図である。図５に示すように、本実施形態のヒートポンプ式給湯装置は、第１実施形態のヒートポンプ式給湯装置（図１参照）に対して同符号で示した構成は同一の構成であり、その説明は第１実施形態の通りである。ここでは、第１実施形態と異なる構成について、以下に説明する。
【００９８】
この導入口６には、市水配管１４と連通して貯湯タンク２内に市水を供給する市水流入配管１５が接続されている。市水流入配管１５には、導入口６よりも上流の部位においタンク流調弁７３が設けられている。タンク流調弁７３は、貯湯タンク２内の下部へ流入する市水の流量を調節する機能を有する。なお、市水流入配管１５には、排水のための排水バルブを設けてもよい。
【００９９】
貯湯タンク２の底面に設けられた吸入口８と水・冷媒熱交換器１ａとの間を連絡する循環配管１０には、ヒートポンプ追焚き三方弁７２と、水・冷媒熱交換器１ａに供給される水の温度を検出する入水温度サーミスタ３１と、逆止弁２８と、循環配管１０の水を強制的に流動させる循環ポンプ９と、が設けられている。なお、逆止弁２８の上流側には、所定圧力値で作動する缶体保護弁を設けてもよい。
【０１００】
ヒートポンプ追焚き三方弁７２は、後述する熱交換器流出配管７１と循環配管１０との合流部に設けられた三方弁である。このヒートポンプ追焚き三方弁７２は、循環配管１０内に貯湯タンク２内下部の水を流入させるか、または、追焚き用熱交換器５７を流出して熱交換器流出配管７１内を流れてきた水を流入させるかを切り替えることが可能であり、制御装置によって制御されている。
【０１０１】
市水配管１４と循環配管１０とを連通させるように設けられた給水用配管１６には、逆止弁２９よりも下流部にヒートポンプ流調弁７４が設けられている。このヒートポンプ流調弁７４は、循環配管１０内に合流させる市水の流量を調節することができる流量調節手段である。
【０１０２】
切替弁１１よりも下流の循環配管１０にはサーモスタット７５が設けられており、サーモスタット７５は貯湯タンク２の過熱防止するためのスイッチであり、例えば、その信号は制御装置に出力される。
【０１０３】
湯張り用混合弁１７よりも下流部の風呂用配管１８には、湯張り温度サーミスタ７６が設けられており、湯張り温度サーミスタ７６の信号は制御装置に出力されて湯張り用混合弁１７の制御に用いられる。
【０１０４】
浴槽流出配管５０と浴槽流入配管５１との連結部であるとともに、給湯配管２２との合流部には、熱交換器流入配管２０が接続されている。この合流部から浴槽に向かう浴槽流入配管５１には、順に、流水スイッチ４５、循環用給湯サーミスタ４４、追焚き用三方弁７７、および追焚き温度サーミスタ３９が設けられている。
【０１０５】
なお、湯張り用電磁弁４１、湯張り用流量カウンタ４２、逆止弁４３、および逆流水開放弁４６は、これらを接続する配管とともに一体化したモジュールにより構成してもよい。このモジュールは湯張り用電磁弁アッシィ４０Ａであり、配管長さを可能な限り短くして圧力損失や流路抵抗を低減した箱体状のユニット部品として構成してもよい。また、このモジュールは樹脂材料で形成することにより、軽量化をして施工性、メンテナンス性を高めることができる。
【０１０６】
次に、追い焚き機能の構成について説明する。追焚き用熱交換器５７には、この追焚き用熱交換器５７と、貯湯タンク２の最上部に設けられた導出口７よりも下流に位置する部位の給湯配２２とを連絡するように熱交換器流入配管７０が接続されている。さらに、この熱交換器流入配管７０は、貯湯タンク２内下部の水が流出して水・冷媒熱交換器１ａに至るまでの間に形成される循環配管１０と追焚き用熱交換器５７とを連絡する熱交換器流出配管７１と追焚き用熱交換器５７内の給湯用水流路を介して連通している。
【０１０７】
この給湯用水流路、熱交換器流出配管７１、循環配管１０、貯湯タンク２の内部、および熱交換器流入配管７０が、浴槽の浴水を加熱する追焚き用回路を構成する。
【０１０８】
一方、給湯用水と熱交換して加熱される浴水の通り道である追焚き用熱交換器５７内の浴水流路は、熱交換器流入配管２０と熱交換器流出配管２６に接続されている。熱交換器流入配管２０は、浴槽流入配管５１、浴槽流出配管５０、および給湯配管２２の連結部に接続されることにより、浴水流路と浴槽内部とを連結している。熱交換器流出配管２６は、浴槽流入配管５１とＴ字路を形成するように追焚き用三方弁７７と接続されることにより、浴水流路と浴槽内部とを連結している。
【０１０９】
浴水の追い焚き運転を実施する場合には、制御装置は、風呂循環用電動弁４８を開弁し、浴槽流出配管５０に設けられた循環ポンプ４９を作動させ、さらに、熱交換器流出配管２６と浴槽流入配管５１とを連通するように追焚き用三方弁７７を制御し、浴水が浴水流路と浴槽内部との間を循環することになる。さらに、制御装置は、循環配管１０における循環ポンプ９を作動し、切替弁１１を貯湯タンク２の吐出口１２側に切り替える制御を実行し、給湯用水が追焚き用回路内を循環することになる。
【０１１０】
このとき、浴水は、浴槽内から流出して浴槽流出配管５０を流れ、追焚き用三方弁７７によって熱交換器流入配管２０に流入して追焚き用熱交換器５７の浴水流路で、給湯用水流路を流れる給湯用水から受熱して水温が上昇し、熱交換器流出配管２６を経由した後、浴槽流入配管５１に流入して浴槽内に戻ってくる。そして、制御装置は、追焚き温度サーミスタ３９によって検出される浴水の温度が所定温度になるまで追い焚き運転を継続する。
【０１１１】
本実施形態における機能部品としては、市水や給湯用水の流れを制御する働きを有する流路上に配設される部品であり、流体の流れを停止したり、流れ方向を変えたり、配管内の圧力を制御したりする弁や、流体を強制的に動かす駆動部品（ポンプ）や、流体を加熱するための装置である。例えば、機能部品は、第１実施形態で記載した機能部品の他に、流れ方向を切り替えたり、流量を調節したりする弁機構を有する追焚き三方弁７７、ヒートポンプ追焚き三方弁７２、タンク流調弁７３、ヒートポンプ流調弁７４、切替弁１１などである。
【０１１２】
なお、これらの機能部品の中から複数個の部品を適宜選択し、各部品を接続する配管とともに一体化してブロック状とした機能部品ユニット６３を構成してもよい。また、本実施形態における機能部品は、第１実施形態における機能部品と同様の配置箇所に設けられるものであり、その作用効果も同様である。
【０１１３】
（第３実施形態）
第３実施形態におけるヒートポンプ式給湯装置の各部の配置構成について図６を用いて説明する。図６は、本実施形態におけるヒートポンプ式給湯装置の各部の配置構成を示した模式図である。このヒートポンプ式給湯装置は、図６に示すように、第１実施形態のヒートポンプ式給湯装置に対して、ヒートポンプユニット１と貯湯タンクユニット６４が外観上、一体化されていない別体で構成されている点のみが異なっている。
【０１１４】
この貯湯タンクユニット６４とヒートポンプユニット１は、それぞれ別個の筐体６１、６５内に収納されており、互いに所定間隔はなれた状態で設置されている。
【０１１５】
筐体６１の上部のタンク上方部５６には、給湯使用側端末に連通する配管を接続するための配管取出し部を設けている。この配管取出し部は、給湯使用側端末とヒートポンプ式給湯装置６０の配管とを接続するためのものであり、給湯使用側端末へ連通させる必要のある複数の配管接続口を束ねるようにして配置されている。この複数の配管接続口は、前述の給湯用配管取出し部５２および浴槽用配管取出し部５３、５４に加えて、ヒートポンプユニット１と接続される２本の配管接続口である。
【０１１６】
筐体６５の上部５８には、貯湯タンクユニット６４の配管を接続するための配管取出し部を設けている。この配管取出し部は、貯湯タンクユニット６４と接続される２本の配管接続口である。なお、この配管取出し部は、筐体６５の下部５８Ａに配置する構成としてもよい。
【０１１７】
（その他の実施形態）
以上、本発明の好ましい実施形態について説明したが、本発明は上述した実施形態に何ら制限されることなく、本発明の主旨を逸脱しない範囲において種々変形して実施することが可能である。
【０１１８】
例えば、ヒートポンプユニット１のヒートポンプサイクルを流れる作動冷媒は、二酸化炭素に限定されるものではなく、フロン等の他の冷媒であってもよい。
【０１１９】
また、上記実施形態のヒートポンプユニット１は、冷媒の圧力が臨界圧力以上となる超臨界ヒートポンプサイクルによるものであるが、これに限定されるものではなく、冷媒の圧力が臨界圧力未満のヒートポンプサイクルによるものよい。
【図面の簡単な説明】
【０１２０】
【図１】本発明の第１および第３実施形態におけるヒートポンプ式給湯装置および配管構成を示した配管図である。
【図２】第１、第２、および第３実施形態におけるヒートポンプ式給湯装置の各部の配置構成を示した模式図である。
【図３】第１、第２、および第３実施形態のヒートポンプ式給湯装置において、貯湯タンク上方に配置した機能部品の配置を示した概略的平面図である。
【図４】図３のＸ方向からみた場合の機能部品の配置を示した概略的側面図である。
【図５】本発明の第２および第３実施形態におけるヒートポンプ式給湯装置の配管構成を示した配管図である。
【図６】本発明の第３実施形態におけるヒートポンプ式給湯装置の各部の配置構成を示した模式図である。
【符号の説明】
【０１２１】
１…ヒートポンプユニット、２…貯湯タンク、４…第１混合弁（機能部品、混合弁）、５…第２混合弁（機能部品、混合弁）、１３…減圧弁（機能部品）、１４…市水配管、１７…湯張り用混合弁（機能部品、混合弁）、１８…風呂用配管（流路）、１９…追焚き用ポンプ（機能部品、循環ポンプ）、２２…給湯配管、２３…給湯用混合弁（機能部品、混合弁）、３５…逃がし弁（機能部品）、３７…熱交換器流出配管、４０…湯張り用電磁弁アッシィ（機能部品）、４１…湯張り用電磁弁（機能部品、湯張り用開閉弁）、４６…逆流水開放弁（機能部品）、４９…風呂循環ポンプ（機能部品、循環ポンプ）、５０…浴槽流出配管、５２…給湯用配管取出し部（配管取出し部）、５３、５４…浴槽用配管取出し部（配管取出し部）、５６…タンク上方部（上部）、５６Ａ…タンク下方部（下部）、５７…追焚き用熱交換器（機能部品）、６１…筐体、６２…断熱材、６５…筐体
【図１】
0004743008.tif 000002
【図２】
0004743008.tif 000003
【図３】
0004743008.tif 000004
【図４】
0004743008.tif 000005
【図５】
0004743008.tif 000006
【図６】
0004743008.tif 000007